(57)【要約】【課題】メーカーや機種の異なる各種の電子製品の電池の正／負電極の接触の端子を正確に判断して充電できること。【解決手段】外部に制御パネルおよび電池取付孔を形成した充電機本体の内部には、充電プラットフォーム、第１の充電手段及び第２の充電手段を含み、該充電プラットフォームは、該電池取付孔の対応箇所に設けられ、該第１及び第２の充電手段は、可動台座およびプローブモジュールをそれぞれ設けており、各プローブモジュールは、複数のプローブを設け、かつ、プローブ毎を検出回路および充電回路に並列して接続し、該検出回路および充電回路は、さらに制御ＩＣに接続し、該充電回路およびプローブ間に電流保護回路が別に設けられ、電源を該検出回路、制御ＩＣおよび充電回路に電気的に接続させ稼働電力を与え、プローブモジュールで電池の正／負の電極のプローブを検出する。【選択図】図６
0003140996.tif 000002
【実用新案登録請求の範囲】
【請求項１】
充電機本体の外部には制御パネルおよび電池取付孔が設けられ、
充電機本体の内部には、
前記電池取付孔の対応箇所に設けられた充電プラットフォームと、第１の充電手段と、第２の充電手段と、を含み、
前記第１の充電手段は可動台座および第１のプローブモジュールを設けており、前記第１のプローブモジュールは前記可動台座上に設けられ、前記第１のプローブモジュールは、複数のプローブを設け、これらのプローブがベースに可動に結合され、プローブ毎を頂部にスールホールが設けられたスリーブ内に挿入し、ばねをプローブの下方に置いて、さらに内部にプローブ及びばねが設けられたスリーブを一緒にベースに結合させ、かつ、プローブ毎を検出回路および充電回路に並列して接続し、前記検出回路および充電回路は、さらに制御ＩＣに接続し、また、前記充電回路およびプローブ間に電流保護回路が別に設けられ、電源は、検出回路、制御ＩＣおよび充電回路に電気的に接続され、稼働電力を提供し、前記５０ピンのプローブは、充電プラットフォームの後側に設けられ、かつ水平方向に設けられ、
前記第２の充電手段は、可動台座および第２のプローブモジュールを設けており、前記第２のプローブモジュールは前記可動台座上に設けられ、前記第２のプローブモジュールは、複数のプローブを設け、これらのプローブがベースに可動に結合され、プローブ毎を頂部にスールホールが設けられたスリーブ内に挿入し、ばねをプローブの下方に置いて、さらに内部にプローブ及びばねが設けられたスリーブを一緒にベースに結合させ、かつ、プローブ毎を検出回路および充電回路に並列して接続し、前記検出回路および充電回路は、さらに制御ＩＣに接続し、また、前記充電回路およびプローブ間に電流保護回路が別に設けられ、電源は、検出回路、制御ＩＣおよび充電回路に電気的に接続され、稼働電力を提供し、前記複数ピンのプローブは、充電プラットフォームの下方に設けられ、かつ垂直方向に設けられたことを特徴とする、
小型電池充電機。
【請求項２】
前記充電プラットフォームの上方には、さらにプレス板が設けられ、電池を押付けて固定させることを特徴とする、請求項１に記載の小型電池充電機。
【請求項３】
前記充電プラットフォームの後側には、第２の充電手段の複数のプローブが対応するための開口が形成されることを特徴とする、請求項１に記載の小型電池充電機。
【請求項４】
前記充電プラットフォームの一側にサイドストッパが設けられ、前記充電プラットフォームの後側にバックストッパが設けられ、前記バックストッパは、第１の充電手段の複数のプローブ及び第２の充電手段の複数のプローブが対応するための開穴を設けていることを特徴とする、請求項１に記載の小型電池充電機。
【請求項５】
前記第１のプローブモジュールは、５０ピンのプローブを、前記第２のプローブモジュールは、２００ピンのプローブを設けていることを特徴とする、請求項１に記載の小型電池充電機。
【請求項６】
前記第１の充電手段の可動台座及び第２の充電手段の可動台座は、それぞれ伝動機構で連動していることを特徴とする、請求項１に記載の小型電池充電機。
【請求項７】
前記伝動機構はモータであり、前記モータ上に可動台座を作動するためのオフセット輪が設けられていることを特徴とする、請求項６に記載の小型電池充電機。
【考案の詳細な説明】
【技術分野】
【０００１】
本考案は、携帯電話や、ＰＤＡ、携帯型ゲーム機等の様々な携帯型電子製品の電池充電機或いは類似構造に適用できる小型電池充電機に関し、特に、外部に制御パネルおよび電池取付孔が設けられ、内部に充電プラットフォーム及び２つの充電手段が設けられた小型電池充電機に関するものである。
【背景技術】
【０００２】
科学技術の急速な発展に伴い、電子器材の多くはその体積が大幅に縮小され、個人的に携帯し易くなっているが、様々なメーカによって操作方式が異なることと、設計ニーズの違いがあるために、メーカ毎に電池タイプ及び充電器が提供されている。
【０００３】
携帯電話を一例として説明すると、一般に携帯電話は、電池が搭載されているとともに充電器が付いていて使用者が使用し易いようになっている。
使用者が室内にいる時に、携帯電話の電池電力が無くなると、充電器で電池をフル電力まで蓄電して継続的に使用できるが、電池の電量補充を忘れたり、室外にいる時に電池の電力がなくなると、携帯電話を用いたデータ捜索や通話使用ができなくなる。
【０００４】
前記した問題を解決するため、コンイン式の充電装置が上記事項に応じて提案されている。
コンイン式の充電装置は室外にいる使用者にとって携帯電話の電池電量を補充できて、電池の電量補充の要求を適時叶えることができる。
従来のコンイン式の充電機は、様々な異なるメーカの携帯電話に対応する充電接続プラグを設計したり、或いは多数のメモリ機構が別に設けられるため、機体が大きくなり過ぎる問題や、携帯している他の電子製品、例えば、小型パソコン、携帯型ゲーム機、デジタルカメラ等も、電池電量を円滑に補充することができず、品種に応じた他の充電装置を探して充電する必要がある。
【０００５】
本考案は以上の問題点を解消して、異なる電子製品の電池を正確に判断できる小型電池充電機を提供するために成されたものである。
【考案の開示】
【考案が解決しようとする課題】
【０００６】
本考案の主な目的は、外部に制御パネルおよび電池取付孔が設けられ、内部には充電プラットフォーム、第１の充電手段及び第２の充電手段の組合設計を含み、該充電プラットフォーム上には様々な異なるメーカの電池を載置でき、かつ、該充電プラットフォームの後側及び下方には、第１の充電手段及び第２の充電手段がそれぞれ設けられ、第１のプローブモジュール及び第２のプローブモジュールにより、異なる電子製品の電池の正／負電極の接触の端子を正確に判断し充電でき、携帯している電子製品、例えば、携帯電話や、小型パソコン、携帯型ゲーム機、デジタルカメラ等も、充電できるようになり、本考案の的確性を向上させる小型電池充電機を提供することにある。
【０００７】
本考案の次の目的は、外部に制御パネルおよび電池取付孔が設けられ、内部には充電プラットフォーム、第１の充電手段及び第２の充電手段の組合設計を含み、該充電機の体積が大幅に減少され、様々な場所により設置し易くなり、本考案の実用性を向上させる小型電池充電機を提供することにある。
【課題を解決するための手段】
【０００８】
前記目的を達成するために、本考案に係る小型電池充電機は、その外部に制御パネルおよび電池取付孔が設けられ、内部には充電プラットフォーム、第１の充電手段及び第２の充電手段を含み、前記充電プラットフォームは、前記電池取付孔の対応箇所に設けられ、前記第１の充電手段及び第２の充電手段は、可動台座およびプローブモジュールをそれぞれ設けており、各プローブモジュールは、複数のプローブを設け、かつ、プローブ毎を検出回路および充電回路に並列して接続し、前記検出回路および充電回路は、さらに制御ＩＣに接続し、また、前記充電回路およびプローブ間に電流保護回路が別に設けられ、電源を前記検出回路、制御ＩＣおよび充電回路に電気的に接続させ稼働電力を与え、プローブモジュールで電池の正／負電極とのプローブはどちらであるかを正確に検出するとともに、前記プローブモジュールで電池が補充しようとする電圧および電流量を提供し、電池の充電がより正確性および実用性を備える。
【考案の効果】
【０００９】
本考案は、メーカーや機種の異なる電子製品の電池の正／負電極の接触の端子を正確に判断して充電できて、例えば、携帯電話や、小型パソコン、携帯型ゲーム機、デジタルカメラ等の携帯用の電子製品を充電することができる。
さらに本考案は充電機の体積を大幅に縮小できて、様々な場所への設置がし易くなって、実用性が向上する。
【考案を実施するための最良の形態】
【００１０】
以下、図面を参照しながら本考案に係る実施玲について説明する。
図１〜図８に示すように、本考案に係る小型電池充電機１は、充電機本体の外部に制御パネル１１および電池取付孔１２が設けられている。
小型電池充電機１の内部には充電プラットフォーム１０、第１の充電手段２０及び第２の充電手段３０を含む。
【００１１】
該充電プラットフォーム１０は、該電池取付孔１２の対応箇所に設けられる。
該充電プラットフォーム１０は、電池を載置するものである。
該充電プラットフォーム１０の後側には開口１０１が形成される。
該充電プラットフォーム１０の一側にはサイドストッパ１０３が設けられる。
また、該充電プラットフォーム１０の後側にはバックストッパ１０４が設けられる。
該バックストッパ１０４には、開穴１０５を設けている。
該充電プラットフォーム１０の上方には、プレス板１０２が設けられる。
該プレス板１０２は、電池６を載置して位置決めする時に、電池６を押付けて固定させるものである。
サイドストッパ１０３及びバックストッパ１０４は、電池６を充電プラットフォーム１０に押付けるために機能する（該電池６の左側は、サイドストッパ１０３に当接し、該電池６の後側は、バックストッパ１０４に当接する）。
【００１２】
該第１の充電手段２０は、可動台座２１および第１のプローブモジュール２２を設けている。
該第１のプローブモジュール２２は、可動台座２１上に設けられる。
第１のプローブモジュール２２は、５０ピンのプローブ２２１を設ける。
これらのプローブ２２１は、ベース２２２に可動的に結合される。
これらのプローブ２２１は、針状またはシート状に設けられる。
本実施例は、シート状プローブ２２１を例として説明する。
プローブ２２１にスールホールが設けられ、スールホールにスリーブ２２３が挿入される。
また、ばね２２４をプローブ２２１の下方に置いて、さらに内部にプローブ２２１及びばね２２４が設けられたスリーブ２２３を一緒にベース２２２に結合する。
かつ、プローブ２２１毎に検出回路２３および充電回路２４に並列して接続する。
該検出回路２３および充電回路２４は、さらに制御ＩＣ２５に接続する。
また、該充電回路２４およびプローブ２２１間に電流保護回路２６が別に設けられる。
電源４０は、検出回路２３、制御ＩＣ２５および充電回路２４に電気的に接続されて、稼働電力を提供する。
該第１の充電手段２０の５０ピンのプローブ２２１は、充電プラットフォーム１０の後側に設けられ、該バックストッパ１０４の開口１０５に対応しかつ水平方向に設けられる。
該第１の充電手段２０の可動台座２１は、伝動機構５０で連動される。
該伝動機構５０はモータ５１である。
該モータ５１上にオフセット輪５２が設けられる。該オフセット輪５２がモータ５１により制御され回転し、可動台座２１を連動して前後に動く。
【００１３】
該検出回路２３は、主に、プローブ２２１の数に合せて設けられる。
本実施例は、５０ピンのプローブ２２１を設け、他のピン数のプローブ２２１を設けてもよいる。
電池６が第１のプローブモジュール２２に接触すると、該制御ＩＣ２５は、検出回路２３を駆動し全てのプローブ２２１を検出、走査し、電池６の電極と接触のプローブ２２１はどちらであるかを検出するとともに、電池が必要とする電圧および電流を検出する。
また、該検出回路２３は、電池６の正／負電極と接触のプローブ２２１はどちらであるかを同時に検出できる。
【００１４】
該第２の充電手段３０は、可動台座３１および第２のプローブモジュール３２を設けている。
該第２のプローブモジュール３２は、可動台座３１上に設けられる。
第２のプローブモジュール３２は、２００ピンのプローブ３２１を設ける。
これらのプローブ３２１は、ベース３２２に可動的に結合される。
これらのプローブ３２１は、針状またはシート状に設けられる。本実施例は、シート状プローブ３２１を例として説明する。プローブ３２１が、頂部にスールホールが設けられたスリーブ３２３内に挿入する。
また、ばね３２４をプローブ３２１の下方に置いて、さらに内部にプローブ３２１及びばね３２４が設けられたスリーブ３２３を一緒にベース３２２に結合する。
かつ、プローブ３２１を検出回路３３および充電回路３４に並列して接続する。
該検出回路３３および充電回路３４は、さらに制御ＩＣ３５に接続する。
また、該充電回路３４およびプローブ３２１間に電流保護回路３６が別に設けられる。
電源４０は、検出回路３３、制御ＩＣ３５および充電回路３４に電気的に接続され、稼働電力を提供する。
該第２の充電手段３０の２００ピンのプローブ３２１は、充電プラットフォーム１０の下方に設けられ、該充電プラットフォーム１０の開口１０１に対応しかつ垂直方向に設けられる。
該第２の充電手段３０の可動台座３１は、伝動機構５０で連動される。
該伝動機構５０はモータ５１である。該モータ５１上にオフセット輪５２が設けられ、該オフセット輪５２がモータ５１により制御され回転し、可動台座３１を連動して上下に動く。
【００１５】
該検出回路３３は、主に、プローブ３２１の数に合せて設けられる。本実施例は、２００ピンのプローブ３２１を設け、他のピン数のプローブ３２１を設けてもよい。
電池６が第２のプローブモジュール３２に接触すると、該制御ＩＣ３５は、検出回路３３を駆動し全てのプローブ３２１を検出、走査し、電池６の電極と接触のプローブ３２１はどちらであるかを検出するとともに、電池が必要とする電圧および電流を検出する。
また、該検出回路３３は、電池６の正／負電極と接触のプローブ３２１はどちらであるかを同時に検出できる。
【００１６】
図１〜図８を参照すると、使用する時には、先ず、小型電池充電機１外部の電池取付孔１２により、電池６を充電プラットフォーム１０上に載置する。該電池６を載置する際に制御パネル１１の指示、例えば、本実施例では電池６を左寄り載置し、電池６の充電端子を後または下方に対応する等に応じ、該電池６の左側は、サイドストッパ１０３に当接し、該電池６の後側は、バックストッパ１０４に当接する。
制御パネル１１を操作して電プラットフォーム１０の上方のプレス板１０２を起動して電池６を押付けて固定するとともに、制御パネル１１で充電時間を設定する。
設定を完了した後に充電を開始する。
該モータ５１上のオフセット輪５２は、充電プラットフォーム１０の後側の第１の充電手段２０の可動台座２１を制御して水平に前向きに移動する。
該可動台座２１は、バックストッパ１０４の開口１０５に対応し、第１のプローブモジュール２２上の５０ピンプローブ２２１を電池６の充電端子に接触する。
また、第２の充電手段３０の可動台座３１の下方に設けられた伝動機構５０も、同時に動作し、或いは第１の充電手段２０の動作完了まで待ってから、第２の充電手段３０の動作を制御し始める。
該モータ５１上のオフセット輪５２は、充電プラットフォーム１０の下方の第２の充電手段３０の可動台座３１を制御して垂直に上向きに移動する。
該可動台座３１は、充電プラットフォーム１０の開口１０１に対応し、第２のプローブモジュール３２上の２００ピンプローブ３２１を電池６の充電端子に接触する。
この時に、図７を参照すると、第１の充電手段２０の検出回路２３及び第２の充電手段３０の検出回路３３の設置がともに同じであるため、Ｐ１、Ｐ２の２本のプローブ２２１を例として説明し（Ｐ１、Ｐ２の２本のプローブ３２１も同じ）、そのうち、Ｐ１、Ｐ２の２本のプローブ２２１の上方に、トランジスタＱ５、Ｑ６及び他の組のトランジスタＱ１、ダイオードＤ１及びトランジスタＱ３、ダイオードＤ３が連設され、、Ｐ１、Ｐ２の２本のプローブ２２１の下方に、１組のトランジスタＱ２、ダイオードＤ２及びトランジスタＱ４、ダイオードＤ４が接続される。
トランジスタＱ１、Ｑ２、Ｑ３、Ｑ４、Ｑ６がともにオフで、トランジスタＱ５がオンであると、ＶDet＝ＶBat−Ｖ（Ｑ５）−ＶD4≒ＶBat−０．７Ｖであるため、パッドの電圧降下が０．６〜０．７Ｖ減少されることが分かる。即ち、Ｐ１プローブ２２１が電池６の正極に接続されると見なす（Ｐ１プローブ３２１も同じ）。
トランジスタＱ１、Ｑ２、Ｑ３、Ｑ６がともにオフで、トランジスタＱ４、Ｑ５がオンであると、ＶDet＝ＶBat−Ｖ（Ｑ５）−Ｖ（Ｑ４）≒ＶBat−０．１Ｖであるため、パッドの電圧降下が０．１Ｖしか減少できないことが分かる。即ち、Ｐ２プローブ２２１が電池６の負極に接続されると見なす（Ｐ２プローブ３２１も同じ）。
電池６の正、負極を検出した後に、充電回路２４及び充電回路３４は、必要とする電源を提供して電池６に電量を補充する。
【００１７】
充電時間を終了した時には、該第１の充電手段２０の可動台座２１及び第２の充電手段３０の可動台座３１が、各モータ５１上のオフセット輪５２により制御して移出され、該充電プラットフォーム１０のプレス板１０２が上昇する。使用者は、電池取付孔１２から電池６を取り出すことができる。
【００１８】
図１〜図８を参照すると、本考案に係る小型電池充電機の特徴は、小型電池充電機１の外部に制御パネル２２および電池取付孔１２が設けられ、小型電池充電機１の内部には充電プラットフォーム１０、第１の充電手段２０及び第２の充電手段３０を含み、該充電プラットフォーム１０は、様々な異なるメーカの電池６を載置でき、該第１の充電手段２０及び第２の充電手段３０の検出回路２３、３３は、密集配列する第１のプローブモジュール２２および第２のプローブモジュール２３上に、どちらのプローブ２２１、３２１と電池６の正電極の接触、どちらのプローブと電池６の負電極の接触、どちらのプローブ２２１、３２１が無接触の空置状態を完全に識別でき、検出回路２３、３３の精密な検出により、電池６の負電極を正確に判断でき、充電回路２４、３４が電池を充電する時に、極性が逆にされる時による危険状況（例えば、爆発や回路焼壊等）を発生できず、意外の発生を有効に抑制でき、携帯している電子製品、例えば、携帯電話や、小型パソコン、携帯型ゲーム機、デジタルカメラ等が、ともに充電できるようになる。
【００１９】
以上は単に本考案の実施例を説明するための記載に過ぎず、本考案の特徴を限定するものではない。当業者が適宜行なう変換や修飾等も本考案に含まれるべきことは言うまでもないことである。
【図面の簡単な説明】
【００２０】
【図１】本考案の実施例を示す外観斜視図である。
【図２】本考案の実施例を示す内部を示す外観斜視図である。
【図３】本考案の実施例の部分を示す素子分解図である。
【図４】本考案の２つの充電手段の各可動台座が充電プラットフォームとの結合を示す図である。
【図５】本考案の単一プローブの組合を示す断面図である。
【図６】本考案の第１のプローブモジュールおよび第２のプローブモジュールを示す回路ブロック図である。
【図７】本考案の検出回路の一部の詳細を示す回路図である。
【図８】本考案の実施例の使用状態を示す図である。
【符号の説明】
【００２１】
１・・・・・・小型電池充電機
１０・・・・・充電プラットフォーム
１０１・・・・開口
１０２・・・・プレス板
１０３・・・・サイドストッパ
１０４・・・・バックストッパ
１０５・・・・開穴
１１・・・・・制御パネル
１２・・・・・電池取付孔
２０・・・・・第１の充電手段
２１・・・・・可動台座
２２・・・・・第１のプローブモジュール
２２１・・・・プローブ
２２２・・・・ベース
２２３・・・・スリーブ
２２４・・・・ばね
２３・・・・・検出回路
２４・・・・・充電回路
２５・・・・・制御ＩＣ
２６・・・・・電流保護回路
３０・・・・・第２の充電手段
３１・・・・・可動台座
３２・・・・・第２のプローブモジュール
３２１・・・・プローブ
３２２・・・・ベース
３２３・・・・スリーブ
３２４・・・・ばね
３３・・・・・検出回路
３４・・・・・充電回路
３５・・・・・制御ＩＣ
３６・・・・・電流保護回路
４０・・・・・電源
５０・・・・・伝動機構
５１・・・・・モータ
５２・・・・・オフセット輪
６・・・・・・電池
【図１】
0003140996.tif 000003
【図２】
0003140996.tif 000004
【図３】
0003140996.tif 000005
【図４】
0003140996.tif 000006
【図５】
0003140996.tif 000007
【図６】
0003140996.tif 000008
【図７】
0003140996.tif 000009
【図８】
0003140996.tif 000010